(57)【要約】【課題】  電灯線を通信媒体として、機器と信号の送受信をするにあたって、安全で且つある程度長期間の使用にも耐えうる活線状態，無停電での接続が可能な計測治具を提供するものである。【解決手段】  スプリングで伸縮する複数の電極ピンと、前記電極ピンが取り付けられた絶縁板と、被測定物に前記電極ピンが接触するように取り付ける取り付け機構とからなる。本発明を用いれば、電力メータやブレーカなどの端子台に活線状態，無停電で測定器などの取り付けが可能となる。【選択図】  図２
2005338037.tif 000002
【特許請求の範囲】
【請求項１】
スプリングで伸縮する複数の電極ピンと、前記電極ピンが取り付けられた絶縁板と、被測定物に前記電極ピンが接触するように取り付ける取り付け機構とからなる信号を取り出すための計測治具。
【請求項２】
前記取り付け機構は長手方向に穴の空いた筒状の第１のスペーサと、前記第１のスペーサより長いネジとから成り、前記絶縁板には前記ネジを通す穴が空いており、前記ネジが前記絶縁板と前記第１のスペーサを貫通して前記被測定物のネジ穴に取り付けられることを特徴とする請求項１記載の信号を取り出すための計測治具。
【請求項３】
前記取り付け機構は第２のスペーサと、前記第２のスペーサより長いネジとから成り、前記絶縁板には前記ネジを通す穴が空いており前記絶縁板には前記第２のスペーサが前記絶縁板の穴の位置と異なる位置に取り付けられていることを特徴とする請求項１，２記載の信号を取り出すための計測治具。
【請求項４】
前記取り付け機構のネジを前記絶縁板に通す穴が長穴であることを特徴とする請求項１，２，３記載の信号を取り出すための計測治具。
【請求項５】
前記電極ピンの位置が変えられるように前記電極ピンは前記絶縁板に長穴で取り付けられることを特徴とする請求項１，２，３，４記載の計測治具
【請求項６】
前記電極ピンを取り付ける長穴は前記電極ピンの間隔が変えられるような方向の長穴であることを特徴とする請求項５記載の信号を取り出すための計測治具
【請求項７】
前記電極ピンを取り付ける穴は前記電極ピンが並んでいる延長線に対して垂直な方向に縦長であることを特徴とする請求項５記載の信号を取り出すための計測治具
【請求項８】
前記絶縁板と前記第１のスペーサ又は第２のスペーサが一体構造であることを特徴とする請求項１，２，３，４，５，６，７記載の信号を取り出すための計測治具
【請求項９】
前記絶縁板に取り付けられ前記電極ピンと電気的に接続された端子台を有することを特徴とする請求項１，２，３，４，５，６，７，８，記載の信号を取り出すための計測治具。
【請求項１０】
感電やショートの危険性のないよう充電金属部を覆う絶縁物を有することを特徴とする請求項１，２，３，４，５，６，７，８，９記載の信号を取り出すための計測治具。
【発明の詳細な説明】
【技術分野】
【０００１】
本発明は無停電で被測定物に電極を取り付ける治具に関するものである。
【背景技術】
【０００２】
従来の技術について説明する。電灯線や配電線の電圧測定或いは、電灯線や配電線を通信線として使用するために、無停電，活線状態で測定器や通信モデム，カプラ等を取り付ける際、従来は電力メータの端子台やブレーカの端子台などにクリップで接続していた。しかし、それでは安全上問題があり、ごく短時間の設置はできても長時間の設置には適用できない方法であった。
【０００３】
また、特許文献１には、電力メータを経由せずに電源と負荷を接続する経路を追加して、無停電で電力メータの交換を行うため構成が開示されているが。
【特許文献１】特開２００４−３９７４号公報
【発明の開示】
【発明が解決しようとする課題】
【０００４】
従来のように、クリップなどで電力メータやブレーカの端子台に接続するのは安全上問題があり、ごく短時間の設置はできても長時間の設置には適用できない方法であった。また特許文献１に記載のものには本発明のように信号の取り出すためのものではなかった。
【０００５】
本発明は上記従来の課題に鑑み、安全で且つある程度長期間の使用にも耐えうる活線状態，無停電での接続が可能な計測治具を提供するものである。
【課題を解決するための手段】
【０００６】
本発明の請求項１記載の計測治具は、スプリングで伸縮する複数の電極ピンと、前記電極ピンが取り付けられた絶縁板と、被測定物に前記電極ピンが接触するように取り付ける取り付け機構とからなることを特徴としている。
【０００７】
この構成によれば、電力メータやブレーカなどの端子台に活線状態，無停電で測定器などの取り付けが可能となる。
【０００８】
本発明の請求項２記載の計測治具は、前記取り付け機構は長手方向に穴の空いた筒状の第１のスペーサと、前記第１のスペーサより長いネジとから成り、前記絶縁板には前記ネジを通す穴が空いており、前記ネジが前記絶縁板と前記スペーサを貫通するように取り付けられることを特徴としている。
【０００９】
この構成によれば、電力メータやブレーカなどへ確実な取り付けが可能となる。
【００１０】
本発明の請求項３記載の計測治具は、前記取り付け機構は第２のスペーサと、前記スペーサより長いネジとから成り、前記絶縁板には前記ネジを通す穴が空いており前記絶縁板には前記第２のスペーサが前記絶縁板の穴の位置と異なる位置に取り付けられたことを特徴としている。
【００１１】
この構成によれば、電力メータやブレーカなどの雌ネジの周辺にスペースがなくスペーサの固定が困難な場合、別のスペースでの位置でスペーサの固定が可能となる。
【００１２】
本発明の請求項４記載の計測治具は、前記絶縁板ネジを通す穴が長穴であることを特徴とする。この構成によれば、本発明の測定治具と被測定物の相対位置を微調できるので、より確実に電極ピンと被測定物の端子を接触することができる。
【００１３】
本発明の請求項５記載の計測治具は、前記電極ピンの位置が変えられるように前記電極ピンが前記絶縁板に長穴で取り付けられることを特徴とする。この構成によれば、本発明の測定治具の電極ピンと被測定物の相対位置を微調できるので、より確実に電極ピンと被測定物の端子を接触することができる。
【００１４】
本発明の請求項６記載の計測治具は、前記電極ピンを取り付ける長穴が前記電極ピンの間隔が変えられるような方向の長穴であることを特徴とする。この構成によれば、本発明の測定治具の電極ピンと被測定物の相対位置を微調できるので、より確実に電極ピンと被測定物の端子を接触することができる。
【００１５】
本発明の請求項７記載の計測治具は、前記電極ピンを取り付ける穴が前記電極ピンが並んでいる延長線に対して垂直な方向に縦長であることを特徴とする。この構成によれば、本発明の測定治具の電極ピンと被測定物の相対位置を微調できるので、より確実に電極ピンと被測定物の端子を接触することができる。
【００１６】
本発明の請求項８記載の計測治具は、前記絶縁板と前記第１のスペーサ又は第２のスペーサが一体構造であることを特徴とする。
【００１７】
この構成によれば、被測定物に本測定治具を取り付ける際、取り付け機構部品の落下などが無く、より簡単に取り付け可能である。
【００１８】
本発明の請求項９記載の計測治具は、前記絶縁板に取り付けられ前記電極ピンと電気的に接続された端子台を有することを特徴とする。この構成によれば、確実に、また電極ピンに電線の重みが直接加わらないのでより安全な設置及び測定が可能となる。
【００１９】
本発明の請求項１０記載の計測治具は、充電金属部を覆う絶縁物を有することを特徴とする。
【００２０】
この構成によれば、感電やショートなどの事故を未然に防ぎ、測定中の安全性を確保することができる。
【発明の効果】
【００２１】
請求項１記載の計測治具によれば、電力メータやブレーカなどの端子台に活線状態，無停電で測定器などの取り付けが可能となる。
【００２２】
請求項２記載の計測治具によれば、電力メータやブレーカなどへ確実な取り付けが可能となる。
【００２３】
請求項３記載の計測治具によれば、電力メータやブレーカなどの雌ネジの周辺にスペースがなくスペーサの固定が困難な場合、別のスペースを利用すれば測定治具の取り付けが可能となる。
【００２４】
請求項４記載の計測治具によれば、本発明の測定治具と被測定物の相対位置を微調できるので、より確実に電極ピンと被測定物の端子を接触させることができる。
【００２５】
請求項５，６，７記載の計測治具によれば、本発明の測定治具の電極ピン間の相対位置を変えることができるので、被測定物の測定点が微妙にずれた場合にも対応可能となる。
【００２６】
請求項８記載の計測治具によれば、被測定物に本測定治具を取り付ける際、取り付け機構部品の落下などが無く、より簡単で且つ安全に測定治具取り付け可能となる。
【００２７】
請求項９記載の計測治具によれば、確実に、また電極ピンに電線の重みが直接加わらないのでより安全な設置及び測定が可能となる。
請求項１０記載の計測治具によれば、感電やショートなどの事故を未然に防ぎ、測定中の安全性を確保することができる。
【発明を実施するための最良の形態】
【００２８】
以下、本発明に係る実施の形態について、図面を参照しながら説明する。
【００２９】
まず、個別の実施の形態の説明の前に本発明の計測治具の使用方法の一例を説明する。図１が本発明の計測治具の設置例である。１１が家屋の引き込み線に設置されている電力メータである。一般に電力メータはカバーをはずすと端子台があり、それに入出力端子に引き込み線が接続されている。
【００３０】
その端子台にカバーを固定していたネジ穴を利用して本発明の計測治具１０を取り付ければ、活線工事で無停電で電圧信号を取り出すことができ、それを計測器１２に接続して、電圧計測などを実施できる。また、図示はしてないが、カプラなどを取り付けると、電灯線通信の信号の入出力も可能となる。
〔第１の実施の形態〕
図２は本発明の第１の実施の形態を示すものであり、請求項１，２の実施例である。１は被測定物である電力メータやブレーカなどの本体の一部である。被測定物の本体の全体図は省略している。２が被測定物の端子台で３が端子である。
【００３１】
４は絶縁板、５が絶縁板に勘合するように取り付けられた電極ピンであり、スプリングで伸縮し端子３と確実に接触する。６は電極ピンが端子３にスプリングの伸縮ストロークを利用して確実に接触するように絶縁板４を取り付けるための取り付け機構の一部であり、スペーサで構成した例である。また、７も取り付け機構の一部であり、この例ではネジであり、絶縁板４とスペーサ６を貫通して被測定物１の雌ネジに取り付けられている。
【００３２】
このように計測治具を電極ピン５が被測定物の端子に電極ピンのスプリングのバネの力で接触するように計測治具を被固定することにより、活線状態のまま無停電工事で被測定物に電極ピンを取り付けることができる。
【００３３】
図３は本発明の計測治具の本体のみの一例を詳細に示したものである。ここでは取り付け機構は省略している。４が絶縁板であり、５は電極ピンである。８が取り付け用のネジを通す穴であり、９は電極ピンに接続した電線であり、これで、測定器やカプラ等に接続する。
〔第２の実施の形態〕
図４は本発明の第２の実施の形態を示すものであり、請求項３の実施例である。ここでは取り付け治具の取り付け穴８が１個の例で示してある。取り付け穴については、被測定物の雌ネジの数や位置に合わせて適当に決定して良い。ここではスペーサ７は取り付け穴とは異なる位置に絶縁板に接着されているか或いは一体成型されている。
【００３４】
この構造は被測定物が取り付け穴８周辺にスペーサ用のスペースが確保できない場合に有効である。
〔第３の実施の形態〕
図５は本発明の第３の実施の形態を示すものであり、請求項４の実施例であり、計測治具の本体のみの一例を詳細に示したものである。ここでは取り付け機構は省略している。取り付け用のネジを通す穴８を長穴にしているのが特徴である。これにより、測定治具と被測定物の相対位置を微調することが可能となり、被測定物の端子と本発明の測定治具の電極ピンを確実に接触させることができる。本実施例では穴の方向は上下方向であるが、穴の方向は任意であり左右方向でも斜め方向でも構わない。
〔第４の実施の形態〕
図６は本発明の第４の実施の形態を示すものであり、請求項５，６の実施例であり、計測治具の本体のみの一例を詳細に示したものである。ここでは取り付け機構は省略している。電極ピン５の取り付け用の穴１３を長穴にしているのが特徴である。  
【００３５】
これにより、測定治具の電極ピン位置と被測定物の相対位置を微調することが可能となり、被測定物の端子と本発明の測定治具の電極ピンを確実に接触させることができる。
【００３６】
本実施例では穴の方向は左右方向で電極ピンのピッチを可変できる。図６では取り付け用のネジを通す穴８も長穴にしているので、被測定物と電極ピンの相対位置は縦横両方向に微調することが可能となる。
〔第５の実施の形態〕
図７は本発明の第５の実施の形態を示すものであり、請求項７の実施例であり、計測治具の本体のみの一例を詳細に示したものである。ここでは取り付け機構は省略している。電極ピン５の取り付け用の穴１３を長穴にしているのが特徴である。
【００３７】
これにより、測定治具と被測定物の相対位置を微調することが可能となり、被測定物の端子と本発明の測定治具の電極ピンを確実に接触させることができる。
【００３８】
本実施例では穴の方向は上下方向で電極ピンの位置を可変できる。図７では取り付け用のネジを通す穴８も左右方向の長穴にしているので、被測定物と電極ピンの相対位置は縦横両方向に微調することが可能となる。
【００３９】
また図８に示すように電極ピンの形状に突起１７を設けて、電極ピンが長穴をスライドするが抜けないような構造にすれば、より施行性，安全性が高まる。
〔第６の実施の形態〕
図９は本発明の第６の実施の形態を示すものであり、請求項８の実施例であり、計測治具の本体のみの一例を詳細に示したものである。ここでは取り付け機構７が絶縁物４と一体構造となっている。但し、取り付け用ネジの図示は省略している。取り付け機構７と絶縁物４の一体化の方法は接着でも、一体成型でも構わない。
【００４０】
取り付け機構７と絶縁物４の一体化すると、被測定物に本測定治具を取り付ける際、取り付け機構部品の落下などが無く、より簡単に取り付け可能である。
〔第７の実施の形態〕
図１０は本発明の第７の実施の形態を示すものであり、請求項９の実施例であり、計測治具の本体のみの一例を詳細に示したものである。１４が端子台であり、本計測治具の絶縁板に取り付けられ各電極ピンを電線で接続されている。
【００４１】
これにより、端子台を経由することにより、確実に、また電極ピンに電線の重みが直接加わらないのでより安全に設置及び測定が可能となる。
〔第８の実施の形態〕
図１１は本発明の第８の実施の形態を示すものであり、請求項１０の実施例であり、計測治具の本体のみの一例を詳細に示したものである。１５が絶縁物であり、この例では
升形の樹脂の例で示している。絶縁板上の充電金属部（電極ピン，端子台を覆うようにネジ１６でネジ止めされている。この例では絶縁板にあらかじめ雌ネジを切って置き（図示は省略）絶縁物と絶縁板をネジ止めする構造の例を示している。
【００４２】
これにより、感電やショートなどの事故を未然に防ぎ、測定中の安全性を確保することができる。また、この絶縁物を取り付けることにより本計測治具を恒久的に設置することも可能となる。
【図面の簡単な説明】
【００４３】
【図１】本発明の実施の形態に係る計測治具の設置例をしめす斜視図
【図２】本発明の第１の実施の形態に係る計測治具の電極ピンが被測定物に接した状態を示す正面図
【図３】本発明の第１の実施の形態に係る計測治具の電極ピンと絶縁板とを示す構成図
【図４】本発明の第２の実施の形態に係る計測治具の電極ピンと絶縁板とを示す構成図
【図５】本発明の第３の実施の形態に係る計測治具の電極ピンと絶縁板とを示す構成図
【図６】本発明の第４の実施の形態に係る計測治具の電極ピンと絶縁板とを示す構成図
【図７】本発明の第５の実施の形態に係る計測治具の電極ピンと絶縁板とを示す構成図
【図８】本発明の第５の実施の形態に係る計測治具の電極ピンと絶縁板とを示す構成図
【図９】本発明の第６の実施の形態に係る計測治具の電極ピンと絶縁板とを示す構成図
【図１０】本発明の第７の実施の形態に係る計測治具の電極ピンと絶縁板とを示す上面図
【図１１】本発明の第８の実施の形態に係る計測治具の電極ピンと絶縁板とを示す構成図
【符号の説明】
【００４４】
１  被測定物
２  被測定物の端子台
３  端子
４  絶縁板
５  電極ピン
【図１】
2005338037.tif 000003
【図２】
2005338037.tif 000004
【図３】
2005338037.tif 000005
【図４】
2005338037.tif 000006
【図５】
2005338037.tif 000007
【図６】
2005338037.tif 000008
【図７】
2005338037.tif 000009
【図８】
2005338037.tif 000010
【図９】
2005338037.tif 000011
【図１０】
2005338037.tif 000012
【図１１】
2005338037.tif 000013